(57)【特許請求の範囲】
【請求項１】
光源からの光ビームを信号記録媒体に出射し、信号記録媒体により反射された光ビームが光検出器に導かれる光学ヘッドにおいて、光学ヘッドを構成する各種光学部品が組み込まれる光学ハウジングに板金により構成された取付板を設置固定し、該取付板に前記光検出器が固定される基板をその取付板上に弾性による付勢力により押し付ける押し付け部を形成し、前記取付板には基板をこの取付板上に押し付けるべく弾性により付勢力を発生する押し付け部が取付板の基板における光検出器の配置位置に対して片側に形成されると共に、前記押し付け部が形成される位置に対して基板における光検出器を挟んだ反対側となる位置に調整具が配置される調整部が基板を設置する面に対して段差を有して形成され、かつ、前記取付板にはその段差の立ち上げ部分に前記基板の前記調整具が配置される部分を挿通させる挿通孔が形成され、前記押し付け部により前記基板を前記取付板に仮止めした状態で、前記基板を前記取付板に対して摺接により変位させて光検出器に受光される受光ビームの光軸と直交する方向に光検出器を調整すると共に、前記取付板を光学ハウジングに固定した状態で前記調整具によりその取付板の撓み量を調整して前記受光ビームの光軸方向に光検出器を調整するようにしたことを特徴とする光学ヘッドの光検出器取付装置。
【発明の詳細な説明】
【０００１】
【発明の属する技術分野】
本発明は、光検出器を光学ハウジングに取り付ける光学ヘッドの光検出器取付装置に関する。
【０００２】
【従来の技術】
ディスク等の信号記録媒体に対して光学的に信号の読み取り、あるいは書き込みを行う光学ヘッドにおいては、信号記録媒体で反射された光ビームを受光する光検出器が光学ヘッドを構成する各種光学部品が組み込まれる光学ハウジングに取り付けられ、前記光検出器の各受光領域に正しく光ビームが照射されるように位置調整が行われて前記光学ハウジングに取り付けられる。
【０００３】
ところで、光検出器を光学ハウジングに取り付ける光学ヘッドの光検出器取付装置は、例えば、実開平４−３９８２０号に示されている。この実用新案の光検出器取付装置は、光検出器を支持する基板の基板面に垂直な方向に可撓性を有する弾性部材を光学ハウジングに対して固定し、前記弾性部材によって前記基板を支持することにより前記基板を基板面に平行な方向に変位できるように成されている。
【０００４】
すなわち、この光検出器取付装置においては、前記基板を前記弾性部材によって支持した状態でその弾性部材における取付板の取付面上で前記基板を変位させて光検出器の受光ビームの光軸と直交する方向の調整が行える。
【０００５】
したがって、前記光検出器取付装置においては、その受光ビームの光軸と直交する方向の調整時に受光ビームの光軸方向への変位が防止され、作業性が良い、という利点がある。
【０００６】
【発明が解決しようとする課題】
しかしながら、前述の光検出器取付装置は、弾性部材と基板とをネジにより一緒に光学ハウジングに固定する構成であり、光検出器の受光ビームの光軸と直交する方向の調整を行うべく前記基板を変位させる際において前記弾性部材が光学ハウジングに固定されていないので、前記基板の変位により弾性部材が変位され易く、光検出器の調整位置の信頼性に乏しかった。
【０００７】
また、前述の光検出器取付装置は、光検出器を受光ビームの光軸方向に調整するのに弾性部材を全体的に光学ハウジングから浮かせる必要があるので、光学ハウジング上に前記弾性部材が当接支持される基準面がなく、受光ビームの光軸方向において弾性部材の位置が安定されない、という欠点があった。
【０００８】
【課題を解決するための手段】
本発明は、光学ハウジングに板金により構成された取付板を設置固定し、該取付板に光検出器が固定される基板をその取付板上に弾性による付勢力により押し付ける押し付け部を形成し、前記基板を前記取付板上に押し付けるべく弾性により付勢力を発生する押し付け部が取付板の基板における光検出器の配置位置に対して片側に形成されると共に、前記押し付け部が形成される位置に対して基板における光検出器を挟んだ反対側となる位置に調整具が配置される調整部が基板を設置する面に対して段差を有して形成され、かつ、その段差の立ち上げ部分に前記基板の前記調整具が配置される部分を挿通させる挿通孔が前記取付板に形成され、前記押し付け部により前記基板を前記取付板に仮止めした状態で、前記基板を前記取付板に対して摺接により変位させて光検出器に受光される受光ビームの光軸と直交する方向に光検出器を調整すると共に、前記取付板を光学ハウジングに固定した状態で前記調整具によりその取付板の撓み量を調整して前記受光ビームの光軸方向に光検出器を調整するようにしている。
【０００９】
【実施例】
図１は本発明に係る光学ヘッドの光検出器取付装置を示す展開斜視図である。
【００１０】
１は光学ヘッドを構成する各種光学部品が組み込まれる光学ハウジング、２は光学ハウジング１に設置固定される取付板、３は光検出器４がハンダ付けにより固定されると共に、光検出器４の各受光出力を導出するパターン（図示せず）が形成される基板である。
【００１１】
前記取付板２は板金により構成され、２本のネジ５をそれぞれ取付板２に形成される透孔６を貫通して光学ハウジング１に螺合することにより光学ハウジング１上に固定される。
【００１２】
また、取付板２には、基板３を取付板２上に押し付けるべく弾性により付勢力を発生する押し付け部２ａ，２ｂがそれぞれ各側に形成されると共に、前記押し付け部２ａ，２ｂが形成される位置に対して基板３における光検出器４を挟んだ反対側となる位置に調整ネジ７が配置される調整部２ｃが基板３を設置する面に対して段差を有して形成されている。そして、取付板２には、その段差の立ち上げ部分に前記基板３の調整ネジ７が配置される部分を挿通させる挿通孔８が形成されている。
【００１３】
このように構成される光学ヘッドの光検出器取付装置において、光検出器４の取付方法について説明する。
【００１４】
まず、取付板２をネジ５により光学ハウジング１に固定する。これにより前記取付板２は光学ハウジング１上の設置面（図１にハッチングを施した部分）に当接支持される状態になる。
【００１５】
基板３には光検出器４をハンダ付けにより固定しておき、その基板３を取付板２に仮止めする。この基板３の仮止めは、基板３の突端３ｃを取付板２の挿通孔８に挿通させてその突端３ｃを調整部２ｃにより取付板２の取付面上に押し付ける状態にすると共に、両脇に突出して幅広になっている基板３の突出部３ａ，３ｂをそれぞれ対応する取付板２の押し付け部２ａ，２ｂにより取付板２の取付面上に押し付けることにより第１段階が完了される。
【００１６】
前記押し付け部２ａ，２ｂは、各先端が互いに内側に張り出しており、その各張り出し部により基板３の突出部３ａ，３ｂを押圧する構成となっているが、基板３を取付板２に仮止めする際に前記基板３の突端３ｃを取付板２の挿通孔８に挿通させるべく基板３を変位させた状態において、各突出部３ａ，３ｂの位置がそれぞれ前記押し付け部２ａ，２ｂの各張り出し部に対向する位置からずれているので、その各張り出し部に阻害されずに基板３を取付板２に当接させる状態にまで変位させることが出来、基板３の第１段階の仮止めが容易に行える。
【００１７】
取付板２に対する基板３の第１段階の仮止めを行った後、取付板２の調整部２ｃ部分を介して調整ネジ７を光学ハウジング１に螺合し、それにより取付板２への基板３の仮止めは完了する。この基板３を取付板２に仮止めした状態を図２に示す。
【００１８】
ところで、調整ネジ７は調整部２ｃの透孔９及び基板３の透孔１０を貫通し、これらの透孔９及び透孔１０の径は調整ネジ７の径に対して遊びを有するように設定されている。その為、調整ネジ７が光学ハウジング１に螺合された状態において、基板３は取付板２に対してその取付板２の面方向に変位可能に支持される。
【００１９】
したがって、基板３を取付板２に仮止めした状態において、基板３を取付板２に対して摺接により変位させることにより光検出器４の受光ビームの光軸に直交する方向の調整が行える。
【００２０】
ところで、基板３を取付板２に仮止めした状態において、取付板２は光学ハウジング１上に当接支持されている支持面以外の箇所において光学ハウジング１との間に隙間が確保され、前記取付板２の光学ハウジング１への固定位置と基板の光検出器を挟んだ反対側を、前記取付板２の可撓性によりその取付板２の固定部において光学ハウジング１に固定した状態で光学ハウジング１に近づく方向に変位可能に成されている。
【００２１】
この場合、前記取付板２は、取付板２における光学ハウジング１に当接支持される部位より僅かに光検出器４側の位置に屈曲し易くするために形成されたスリット１１を屈曲点とするべく撓んで変位されるようになっており、取付板２が撓むと元の形状に復元しようとする付勢力が発生する。そして、基板３は、取付板２の挿通孔８に挿通されている部分と押し付け部２ａ，２ｂにより押し付けられている部分とで支持されて取付板２の変位に伴って一緒に変位される。
【００２２】
その為、調整ネジ７を光学ハウジング１に螺合させる螺合度合を調整することにより取付板２の撓み量が調整され、その取付板２の撓み量に応じて基板３が光学ハウジング１に近づけられ、光検出器４が受光ビームの光軸方向に変位されるようになっている。
【００２３】
したがって、光検出器４の受光ビームの光軸方向における調整完了位置が、取付板２を光学ハウジング１に近づける方向で取付板２の変位可能範囲内になる設計しておくことにより、調整ネジ７を光学ハウジング１に螺合させる螺合度合を調整することにより光検出器４の受光ビームの光軸方向の調整が行える。
【００２４】
以上のように、光検出器４の受光ビームの光軸方向、及び受光ビームの光軸に直交する方向の調整は、基板３を取付板２に仮止めした状態で行われるので、各方向の調整が完了したらその調整完了状態で接着剤により固定する。この固定は、適切な接着部位となる、例えば取付板２と基板３とが密着している光検出器４付近で基板３を取付板２に接着すると共に、取付板２を光学ハウジング１に接着することにより行われる。
【００２５】
したがって、基板３を固定するのに応力が残留される要因が少なく、経時変化による光検出器４の調整位置のずれが発生しにくい。
【００２６】
また、基板３を取付板２に仮止めした状態において、基板３は押し付け部２ａ，２ｂにより取付板２に押し付けられると共に、調整部２ｃにより取付板２に押し付けられる。この状態で光検出器４の各方向の調整が行えるので、その調整時に基板３が取付板２に安定して保持されており、調整を行う調整機により基板３の位置を固定しておく必要がなく、光学ヘッドを調整機から取り外して取付部材２に基板３を固定する作業を行え、効率良く作業を行うことが出来る。
【００２７】
【発明の効果】
以上述べた如く、本発明は、光学ハウジングに固定された取付板に対して基板を摺接により変位させて光検出器の受光ビームの光軸と直交する方向に光検出器を調整することが出来ると共に、前記取付板の撓み量を調整することによりこの取付板と共に基板を光検出器の受光ビームの光軸方向に変位させて前記受光ビームの光軸方向に光検出器を調整することが出来、特に、前記取付板の段差部分に形成される挿通孔に基板の一部が挿通されるようになっているので、取付板上に基板を確実に支持させた状態で前記取付板の撓み量の調整が行え、光検出器の受光ビームの光軸方向への信頼性の高い調整が行える。
【図面の簡単な説明】
【図１】本発明に係る光学ヘッドの光検出器取付装置を示す展開斜視図である。
【図２】図１に示す光学ヘッドの光検出器取付装置において、取付板２及び基板３を取り付けた状態を示す斜視図である。
【符号の説明】
１        光学ハウジング
２        取付板
２ａ，２ｂ      押し付け部
２ｃ      調整部
３        基板
４        光検出器
７        調整ネジ
８        挿通孔
【図１】
0003568439.tif 000002
【図２】
0003568439.tif 000003